(57)【要約】【課題】夜間などの暗い場合でも、患者がナースコール子機を探して操作することができるようにするとともに、患者の就寝を妨げないようにすることを目的とする。【解決手段】夜になると患者に眩しさを感じさせない程度の明るさでナースコール子機１の筐体３内に設けた発光体５を発光させ、所定時間が経過すると、それよりも明るく発光体５を発光させる。これにより、患者の就寝時には、ナースコール子機１に設けた発光体５が通常の発光時よりも暗く発光させられるので、夜間などの患者の周辺が暗い場合でも、患者がナースコール子機１を探して操作することができるとともに、発光体５の光が患者の就寝を妨げないようにすることができる。また、患者が熟睡したと考えられる時間になってからは、発光体５が通常の明るさで発光させられるので、患者が目覚めてナースコール子機１を探すような場合に、患者はナースコール子機１を容易に探して操作することができる。【選択図】  図１
2009268487.tif 000002
【特許請求の範囲】
【請求項１】
現在時刻を示す現在時刻情報を出力する時計部と、
昼の時間帯を示す昼間時刻情報および夜の時間帯を示す夜間時刻情報を設定する昼夜設定部と、
前記現在時刻情報を前記時計部から入力し、前記現在時刻情報が前記昼夜設定部にて設定された前記夜間時刻情報となった場合に夜間であると判定し、前記昼夜設定部にて設定された前記昼間時刻情報となった場合に昼間であると判定する昼夜判定部と、
患者によって把持され、開口部を有する筐体と、
前記患者が医療従事者を呼び出すために操作され、前記筐体に取り付けられる操作部と、
前記筐体内に設けられ、前記開口部から漏れる光によって暗所にて前記操作部の存在を前記患者に把握させるために発光する発光体と、
時間の計測を行うタイマーと、
前記昼夜判定部が夜であると判定した場合に、前記タイマーを動作させるとともに、前記発光体を第一の明るさで発光させ、前記タイマーが計測した時間が所定の時間となった場合に、前記発光体を前記第一の明るさよりも明るい第二の明るさで発光させる発光制御部と、
を備えたことを特徴とするナースコールシステム。
【請求項２】
前記操作部は、透光性を有する材料により形成されており、前記開口部を覆うように前記筐体に取り付けられていることを特徴とする請求項１に記載のナースコールシステム。
【請求項３】
現在時刻を示す現在時刻情報を出力する時計部と、
昼の時間帯を示す昼間時刻情報および夜の時間帯を示す夜間時刻情報を設定する昼夜設定部と、
前記現在時刻情報を前記時計部から入力し、前記現在時刻情報が前記昼夜設定部にて設定された前記夜間時刻情報となった場合に夜間であると判定し、前記昼夜設定部にて設定された前記昼間時刻情報となった場合に昼間であると判定する昼夜判定部と、
患者によって把持され、開口部を有する筐体と、
前記患者が医療従事者を呼び出すために操作され、前記筐体に取り付けられる操作部と、
前記筐体内に設けられ、前記開口部から漏れる光によって暗所にて前記操作部の存在を前記患者に把握させるために発光する発光体と、
少なくとも前記筐体の一部を形成し、前記発光体による発光よりも暗く発光する蓄光材料により形成される蓄光部と、
時間の計測を行うタイマーと、
前記昼夜判定部が夜であると判定した場合に、前記タイマーを動作させ、前記タイマーが計測した時間が所定の時間となった場合に、前記発光体を発光させる発光制御部と、
を備えたことを特徴とするナースコールシステム。
【請求項４】
現在時刻を示す現在時刻情報を出力する時計部と、
昼の時間帯を示す昼間時刻情報および夜の時間帯を示す夜間時刻情報を設定する昼夜設定部と、
前記現在時刻情報を前記時計部から入力し、前記現在時刻情報が前記昼夜設定部にて設定された前記夜間時刻情報となった場合に夜間であると判定し、前記昼夜設定部にて設定された前記昼間時刻情報となった場合に昼間であると判定する昼夜判定部と、
患者によって把持され、開口部を有する筐体と、
前記患者が医療従事者を呼び出すために操作され、前記開口部を覆うように前記筐体に取り付けられて、透光性を有するとともに蓄光性を有する材料により形成される操作部と、
前記筐体内に設けられ、前記操作部から漏れる光によって暗所にて前記操作部の存在を前記患者に把握させるために、前記操作部よりも明るく発光する発光体と、
時間の計測を行うタイマーと、
前記昼夜判定部が夜であると判定した場合に、前記タイマーを動作させ、前記タイマーが計測した時間が所定の時間となった場合に、前記発光体を発光させる発光制御部と、
を備えたことを特徴とするナースコールシステム。
【発明の詳細な説明】
【技術分野】
【０００１】
本発明は、患者が呼出ボタンを押下することによって医療従事者を呼び出すことができるナースコールシステムに関する。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、患者と記載する）が呼出ボタンを押下することによって看護師や介護師（以下、単に医療従事者と記載する）を呼び出すことができるように成されたシステムである。
【０００３】
多くのナースコールシステムは、ベッドサイドやトイレ、浴室などに設置されるナースコール子機と、ナースセンタに設置されるナースコール親機と、病室や介護室等の各部屋の入口付近に設置される廊下灯と、通話やデータの送受信に関する制御を行う制御機とを備えて構成されている。また、上述した構成に加えて、看護師が携帯するＰＨＳ（Personal Handy phone System）端末とＰＢＸ（Private Branch Exchange：電話交換機）とを備えたナースコールシステムも提供されている。
【０００４】
上述のナースコールシステムにおいて、透光性を有する部材により呼出ボタンを形成し、筐体内に発光ダイオードなどの発光体を設けることで、夜間などの患者の周辺が暗い場合でも、患者がナースコール子機を視認して操作し易くするための常夜灯機能が知られている（例えば、特許文献１など）。
【０００５】
【特許文献１】特開２００７−６７５９７号公報
【０００６】
ところで、上述した常夜灯機能は夜間などの暗い場合にのみ必要となる機能である。そのため、ナースコール親機にて昼夜の時間帯を設定しておき、夜間の時間帯にのみ常夜灯機能が動作するようにしておくことが好ましい。一方で、常夜灯の光が強すぎると、患者は就寝時に常夜灯の光が気になって眠れなくなってしまうという問題があった。
【０００７】
これに対して、就寝時には気になるものであっても、熟睡中であれば気にならなくなることを利用して、就寝時にタイマーを設定しておき、タイマーで設定した時間の経過後に運転動作を開始する厨芥処理機が知られている（例えば、特許文献２など）。特許文献２に記載の厨芥処理機によれば、使用者が熟睡している間に厨芥処理機の動作が行われるので、使用者は厨芥処理機の騒音を気にすることなく就寝することができる。
【０００８】
【特許文献２】特開２００４−２４３２３０号公報  しかしながら、ナースコール子機による呼び出しは、いつ必要になるかがわからないため、特許文献２に記載の厨芥処理機の動作方法を特許文献１に記載の常夜灯機能に適用すること（就寝時に常夜灯機能を停止すること）はできなかった。
【発明の開示】
【発明が解決しようとする課題】
【０００９】
本発明は、このような問題を解決するために成されたものであり、夜間などの患者の周辺が暗い場合でも、患者がナースコール子機を探して操作することができるようにするとともに、患者の就寝を妨げないようにすることを目的とする。
【課題を解決するための手段】
【００１０】
上述した課題を解決するために、本発明では、昼となる時刻情報および夜となる時刻情報を設定し、夜間に設定された時刻になると、患者に眩しさを感じさせない程度の明るさでナースコール子機に設けた発光体を発光させるとともに、夜間に設定された時刻となってから所定時間が経過した後に、通常の明るさで発光体を発光させるようにしている。
【００１１】
また、本発明の他の態様によれば、ナースコール子機の筐体の一部を蓄光性を有する材料により形成し、昼となる時刻情報および夜となる時刻情報を設定して、夜間に設定された時刻になってから所定時間が経過した後に、筐体内に設けた発光体を発光させるものであり、発光体よりも蓄光性を有する材料の方が暗くなるようにしている。
【発明の効果】
【００１２】
上記のように構成した本発明によれば、患者の就寝時には、ナースコール子機に設けた発光体が通常の発光時よりも暗く発光させられるので、夜間などの患者の周辺が暗い場合でも、患者がナースコール子機を探して操作することができるとともに、発光体の光が患者の就寝を妨げないようにすることができる。また、患者が熟睡したと考えられる時間になってからは、発光体が通常の明るさで発光させられるので、患者が目覚めてナースコール子機を探すような場合に、患者はナースコール子機を容易に探して操作することができる。
【００１３】
また、本発明の他の態様によれば、患者の就寝時には、ナースコール子機の筐体の一部に形成された蓄光材料が眩しくない程度の明るさで発光するので、夜間などの患者の周辺が暗い場合でも、患者がナースコール子機を探して操作することができるとともに、患者の就寝を妨げないようにすることができる。また、患者が熟睡したと考えられる時間になってからは、ナースコール子機に設けた発光体が蓄光材料よりも明るく発光させられるので、患者が目覚めてナースコール子機を探すような場合に、患者はナースコール子機を容易に探して操作することができる。また、発光体の発光または発光の停止のみを制御すれば良くなるので、制御が容易となる。
【発明を実施するための最良の形態】
【００１４】
以下、本発明の一実施形態を図面に基づいて説明する。図１は、本実施形態によるナースコールシステムの構成例を示すブロック図である。また、図２は、本実施形態によるナースコールシステムに適用されるナースコール子機の外観例を示す図である。なお、ここでは病院に設置されるナースコールシステムを例にとって説明するが、本実施形態のナースコールシステムは、病院に設置されるものに限定されない。例えば、介護施設等に設置される場合にも適用可能である。
【００１５】
本実施形態によるナースコールシステムは、ナースコール子機１、ナースコール親機１０、廊下灯（図示せず）、制御機（図示せず）を備えて構成されている。ナースコール子機１は、病室の各患者が手元で呼び出し操作や通話ができるように、壁面に設けられたウォールユニットのコンセントに接続されている。また、ナースコール子機１は、子機用制御部２、筐体３、操作部４、発光体５、子機用インターフェース６、ハンガー部７、コード８を備えて構成されている。子機用制御部２は、ナースコール子機１の各構成要素を後述するように制御する。
【００１６】
筐体３は、患者によって把持され、図２中正面下方部分に開口部３ａを設けている。また、筐体３は、図２中上方部分にハンガー部７を取り付けている。ここで、筐体３は、ウォールユニットに設けたフック部にハンガー部７を引っ掛けることで、ベッドサイドに設置される。コード８の先端に設けたプラグ（図示せず）は、ウォールユニットのコンセントに接続される。開口部３ａには、操作部４が取り付けられている。ここで、操作部４は、患者によって押下されると、筐体３の内部に設けたスイッチをＯＮとする。また、操作部４は、開口部３ａから少なくとも一部が露出し、露出した部分の少なくとも一部が透光性を有する材料によって形成されている。また、筐体３内には、発光体５が取り付けられている。ここで、発光体５の発光効率を向上させるためには、図２にあるように、操作部４に対向するように発光体５を配置することが好ましい。また、発光体５は、発光ダイオードなどにより構成されており、後述する発光体制御信号により明るさが制御される。
【００１７】
子機用インターフェース６は、ナースコール子機１をナースコール親機１０に接続するためのものである。ここで、操作部４の押下によってスイッチがＯＮとなると、子機用制御部２は、呼出信号を生成する。そして、子機用インターフェース６により呼出信号を外部に出力する。また、子機用インターフェース６は、後述する発光体制御信号を入力する。また、子機用インターフェース６は、ナースコール子機１とナースコール親機１０との通話時には音声信号を入出力する。そのために、ナースコール子機１は、患者が医療従事者と会話を行う際に使用するマイク（図示せず）およびスピーカ（図示せず）を備えている。
【００１８】
ウォールユニットは、病室の各患者のベッドサイドの壁面に埋め込まれており、廊下灯に接続されている。廊下灯は、病室の出入口の近傍の壁面などに病室毎に設置され、病室内の患者名などを表示する。また、廊下灯は、病室内の患者が医療従事者の呼び出しを行うと、呼び出しが行われたことを表示する。また、廊下灯は、病室内の患者が医療従事者の呼び出しを行った場合に、医療従事者により応答操作され呼び出しの表示などの呼び出し動作を解除する復旧ボタンを備えている。制御機は、廊下灯とナースコール親機１０との間に介在し、通話やデータの送受信に関する制御を行う。
【００１９】
ナースコール親機１０は、医療従事者が常駐するナースセンターなどに設置される。また、ナースコール親機１０は、親機用制御部１１、親機用インターフェース１２、報知部１３、時計部１４、昼夜設定部１５、タイマー１６を備えて構成されている。また、ナースコール親機１０は、ハンドセット（図示せず）を備えている。ハンドセットは、患者からの呼び出し（ナースコール子機１による呼び出し）に対する応答の操作または患者（ナースコール子機１）を呼び出す操作を行うためのものである。親機用制御部１１は、昼夜判定部１１ａおよび発光制御部１１ｂを備えて構成されている。
【００２０】
親機用制御部１１は、ナースコール親機１０の各構成要素を後述するように制御する。親機用インターフェース１２は、ナースコール親機１０をナースコール子機１に接続するためのものである。ここで、親機用インターフェース１２は、子機用インターフェース６から出力された呼出信号を入力する。また、親機用インターフェース１２は、後述する発光体制御信号を出力する。また、親機用インターフェース１２は、ナースコール親機１０とナースコール子機１との通話時には音声信号を入出力する。そのために、上述したハンドセットが使用される。
【００２１】
報知部１３は、ナースコール子機１からの呼び出しを報知するためのものであり、発光ダイオードなどの発光装置やスピーカなどの音声出力装置を使用する。ここで、親機用制御部１１は、親機用インターフェース１２が呼出信号を入力すると、報知部１３を動作させる。また、呼出信号には、ナースコール子機１を特定するための識別信号が含まれているため、親機用制御部１１は、呼び出しを行った患者を特定することができる。なお、ナースコール親機１０をコンピュータにより構成した場合には、コンピュータのディスプレイの表示により呼び出しを報知するようにしても良い。
【００２２】
時計部１４は、現在時刻を示す現在時刻情報を生成し、親機用制御部１１へ出力する。昼夜設定部１５は、ナースコール親機１０によって管理されるナースコールシステムにおける昼夜の切り替え時刻を設定し記憶するためのものである。ここで、昼夜の切り替え時刻は、一般的に消灯時刻および起床時刻が該当する。また、昼夜設定部１５は、後述するタイマー１６の設定時間も設定することができる。また、昼夜設定部１５により設定された昼間の切り替え時刻は、昼間時刻情報として記憶される。本実施形態では、図３に示すように、昼間時刻情報として６：００が設定される。この時刻は、一般的な病院における起床時刻であり、病院内（病室内）の照明が点灯する時刻でもある。また、昼夜設定部１５により設定された夜間の切り替え時刻は、夜間時刻情報として記憶される。本実施形態では、図３に示すように、夜間時刻情報として２１：００が設定される。この時刻は、一般的な病院における消灯時刻であり、病院内（病室内）の照明が消灯する時刻でもある。また、本実施形態では、図３に示すように、昼夜設定部１５によりタイマー設定時間（特許請求の範囲の所定の時間に該当する）として１時間が設定される。
【００２３】
昼夜判定部１１ａは、時計部１４から出力された現在時刻情報を入力し、昼夜設定部１５から昼間時刻情報および夜間時刻情報を取得する。昼夜判定部１１ａは、時計部１４から入力した現在時刻情報が昼間時刻情報となった場合に昼間であると判定し、時計部１４から入力した現在時刻情報が夜間時刻情報となった場合に夜間であると判定する。
【００２４】
タイマー１６は、時間を計測するものである。発光制御部１１ｂは、昼夜判定部１１ａが夜間であると判定した場合には、タイマー１６を動作させるとともに、発光体５を第一の明るさで発光させるための発光体制御信号を生成する。そして、親機用制御部１１は、親機用インターフェース１２を介して発光体制御信号を出力する。また、タイマー１６が計測した時間が所定の時間（本実施形態では１時間）が経過した場合には、発光制御部１１ｂは、発光体５を第一の明るさよりも明るい第二の明るさで発光させるための発光体制御信号を生成する。そして、親機用制御部１１は、親機用インターフェース１２を介して発光体制御信号を出力する。一方、発光体制御部１１ｂは、昼夜判定部１１ａが昼間であると判定した場合には、発光体５の発光を停止させるための発光体制御信号を生成する。そして、親機用制御部１１は、親機用インターフェース１２を介して発光体制御信号を出力する。
【００２５】
ナースコール子機１は、子機用インターフェース６にて各発光体制御信号を入力する。子機用制御部２は、各発光体制御信号に応じて発光体５を発光させる。図４は、本実施形態によるナースコールシステムの操作部４の輝度を示す図であり、現在時刻が夜間と設定された２１時になると、発光体５は第一の明るさで発光する。発光体５からの光は、透光性を有する材料により形成された操作部４を介して筐体３の外部に漏れ出す。このとき、操作部４の輝度は、２００ｍｃｄ／ｍ２となる。そして、所定の時間である１時間が経過して、現在時刻が２２時となると、発光体５は第二の明るさで発光する。このとき、第二の明るさは第一の明るさよりも明るく、操作部４の輝度は、１０００ｍｃｄ／ｍ２となる。この状態のまま、現在時刻が昼間と設定された６時になると、発光体５は発光を停止する。なお、操作部４の輝度は、上記値に限定されず、第一の明るさは、患者が操作部４を視認できる程度で、かつ、患者が眩しさを感じない程度となるようなものであれば、どのような明るさであっても良い。また、第二の明るさは、患者が操作部４を容易に視認できる程度であれば、患者が多少眩しさを感じるようなものであっても良い。
【００２６】
以上詳しく説明したように、本実施形態では、昼となる時刻情報および夜となる時刻情報を昼夜設定部１５にて設定しておく。そして、夜間に設定された時刻になると、患者に眩しさを感じさせない程度の明るさでナースコール子機１の筐体３内に設けた発光体５を発光させる。また、夜間に設定された時刻となってから所定時間が経過した後に、通常の明るさで発光体５を発光させる。これにより、患者の就寝時には、ナースコール子機１に設けた発光体５が通常の発光時よりも暗く発光させられるので、夜間などの患者の周辺が暗い場合でも、患者がナースコール子機１を探して操作することができるとともに、発光体５の光が患者の就寝を妨げないようにすることができる。また、患者が熟睡したと考えられる時間になってからは、発光体５が通常の明るさで発光させられるので、患者が目覚めてナースコール子機１を探すような場合に、患者はナースコール子機１を容易に探して操作することができる。
【００２７】
また、時計部１４、昼夜設定部１５は、通常のナースコールシステムにおいて、昼夜の運用の切り替えを行うために既に搭載されているため、大幅な設計変更を加えることなく、本実施形態による機能を従来のナースコールシステムに搭載することができる。
【００２８】
なお、前述した実施形態では、第一の明るさまたは第二の明るさで発光体５を発光させるようにしていたが、これに限定されない。例えば、第二の明るさよりも暗い第一の明るさで発光体５を発光させる代わりに、筐体３の一部を蓄光性の材料で形成するようにしても良い。
【００２９】
具体的には、筐体３の少なくとも一部を発光体５による発光よりも暗く発光する蓄光性の材料により形成する（特許請求の範囲の蓄光部に該当する）。なお、筐体３の少なくとも一部を蓄光性の材料により形成する代わりに、操作部４を蓄光性の材料で形成するようにしても良い。この場合、操作部４は、透光性および蓄光性を有する。本変形例では、操作部４を透光性および蓄光性の材料で形成するようにしている。発光制御部１１ｂは、昼夜判定部１１ａが夜間であると判定した場合には、タイマー１６を動作させる。ここで、発光制御部１１ｂは、発光体５を発光させない。また、タイマー１６が計測した時間が所定の時間（本変形例でも１時間）が経過した場合には、発光制御部１１ｂは、発光体５を発光させるための発光体制御信号を生成する。そして、親機用制御部１１は、親機用インターフェース１２を介して発光体制御信号を出力する。一方、発光体制御部１１ｂは、昼夜判定部１１ａが昼間であると判定した場合には、発光体５の発光を停止させるための発光体制御信号を生成する。そして、親機用制御部１１は、親機用インターフェース１２を介して発光体制御信号を出力する。
【００３０】
ナースコール子機１は、子機用インターフェース６にて各発光体制御信号を入力する。子機用制御部２は、各発光体制御信号に応じて発光体５を発光させる。図５は、変形例によるナースコールシステムの操作部４の輝度を示す図であり、現在時刻が昼間と設定された６時となると、病院内では起床時刻となり、病院内の照明が点灯され、発光体５は発光を停止する。一方、蓄光性を有する操作部４は、病室内の照明などから光を充分に吸収する。この状態で、現在時刻が夜間と設定された２１時になると、病院は消灯時刻となり、病院内の照明が消灯される。この時点では、発光制御部１１ｂは、発光体５を発光させない。しかしながら、操作部４は、蓄えられた光により発光する。このとき、操作部４の輝度は、２００ｍｃｄ／ｍ２となる。そして、この輝度は時間とともに減少していく。更に、所定の時間である１時間が経過して、現在時刻が２２時となると、操作部４からの光はかなり弱くなってしまうが、発光制御部１１ｂは、発光体５を発光させる。発光体５からの光は、透光性を有する材料により形成された操作部４を介して筐体３の外部に漏れ出す。このとき、操作部４の輝度は、１０００ｍｃｄ／ｍ２となる。この状態のまま、現在時刻が昼間と設定された６時になると、発光体５は発光を停止する。
【００３１】
これにより、本変形例では上述した効果に加えて、発光制御部１１ｂは、発光体５を点灯または消灯させるという二つの制御のみで良くなるため、制御が容易となるという効果を奏する。
【００３２】
また、前述した本実施形態および変形例において、操作部４を透光性を有する部材により形成し、発光体５からの光が操作部４から漏れ出すようにしているが、これに限定されない。例えば、発光体５からの光を漏れ出させるための開口部を別途用意しても良い。
【００３３】
その他、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【図面の簡単な説明】
【００３４】
【図１】本実施形態によるナースコールシステムの構成例を示すブロック図である。
【図２】本実施形態によるナースコールシステムに適用されるナースコール子機の外観例を示す図である。
【図３】本実施形態によるナースコールシステムの昼夜設定部の設定例を示す図である。
【図４】本実施形態によるナースコールシステムの操作部の輝度を示す図である。
【図５】変形例によるナースコールシステムの操作部の輝度を示す図である。
【符号の説明】
【００３５】
１    ナースコール子機
２    子機用制御部
３    筐体
４    操作部
５    発光体
６    子機用インターフェース
１０    ナースコール親機
１１    制御部
１１ａ    昼夜判定部
１１ｂ    発光制御部
１２    親機用インターフェース
１３    報知部
１４    時計部
１５    昼夜設定部
１６    タイマー
【図１】
2009268487.tif 000003
【図２】
2009268487.tif 000004
【図３】
2009268487.tif 000005
【図４】
2009268487.tif 000006
【図５】
2009268487.tif 000007